(57)【要約】【課題】      釣り用ラインカッターの一対の板体に指を添えた時に位置が安定せず、釣り用ラインカッターを保持しにくいこと。【解決手段】  釣り用ラインカッター１は、対向して設けた一対の板体２、２を有しており、その一端部に刃４、４を有し、他端部は向かい合わせたまま接近し合掌状に合わされて一体的に止着された接合部３が形成されている。  板体２、２のそれぞれの外側部２ａ、２ａは平面状に形成されているが、外側部２ａの一端部側に内側部２ｂ側に窪んだ指当て用の凹部６が形成されている。【選択図】        図３
2006042632.tif 000002
【特許請求の範囲】
【請求項１】
一端部に刃を有する一対の板体を対向して設けた釣り用ラインカッターにおいて、前記板体の外側部に指当て用の凹部を設けたことを特徴とする釣り用ラインカッター。
【請求項２】
凹部は、中央側になるにしたがって深くなるように形成されていることを特徴とする請求項１記載の釣り用ラインカッター。
【請求項３】
凹部は、板体の長手方向に長い楕円形に形成されていることを特徴とする請求項１または２記載の釣り用ラインカッター。
【請求項４】
凹部の中央側に孔を設けたことを特徴とする請求項１乃至３記載の釣り用ラインカッター。
【発明の詳細な説明】
【技術分野】
【０００１】
本発明は、釣り糸等を切断するための釣り用ラインカッターに関する。
【背景技術】
【０００２】
魚釣りにおいて釣り糸を切断するときには釣り用ラインカッターが用いられている。
釣り用ラインカッターは、一端部に刃を有する一対の板体が対向して設けられ、板体を押圧して一端部の刃を衝合して釣り糸を切断するようになっているため、鋏で切断するときのように切断位置が移動せず、例えば、釣り糸の結び目から突出した余分な釣り糸の端部など細い釣り糸を思い通りの位置で切断しやすい。
しかし、このような釣り用ラインカッターは、指で摘むように保持しながら使用し、しかも、鋏のように指を掛けるところがないため、保持がしにくいという問題がある。
【０００３】
特許文献１の公報には一端部に刃を有する一対の板体が対向して設けられ、板体を押圧して一端部の刃を衝合して釣り糸を切断する釣り用ラインカッターが記載されている。
ところが、この釣り用ラインカッターの一対の板体の外側は単に平面状に形成されているため、この板体に指を添えた時に位置が安定せず、釣り用ラインカッターを保持しにくい。
【特許文献１】実公平７−１８２９３号公報
【発明の開示】
【発明が解決しようとする課題】
【０００４】
解決しようとする課題は、釣り用ラインカッターの一対の板体に指を添えた時に位置が安定せず、釣り用ラインカッターを保持しにくいことである。
【０００５】
本発明の目的は前記欠点に鑑み、釣り用ラインカッターの一対の板体に指を添えた時に位置が安定し、保持しやすくすることである。
【課題を解決するための手段】
【０００６】
上記課題を解決するために、
請求項１に係わる本発明は、一端部に刃を有する一対の板体を対向して設けた釣り用ラインカッターにおいて、前記板体の外側部に指当て用の凹部を設けたことを要旨とするものである。
請求項２に係わる本発明は、凹部は、中央側になるにしたがって深くなるように形成されていることことを要旨とするものである。
請求項３に係わる本発明は、凹部は、板体の長手方向に長い楕円形に形成されていることを要旨とするものである。
請求項４に係わる本発明は、凹部の中央側に孔を設けたことを要旨とするものである。
【発明の効果】
【０００７】
本発明により、釣り用ラインカッターの一対の板体に指を添えた時に指の位置が安定して釣り用ラインカッターが保持しやすく、思い通りの位置で釣り糸が切断しやすくなる。
【発明を実施するための最良の形態】
【０００８】
以下、本発明の実施形態を図面に基づき説明すると、図１から図５は本発明の第１実施例で、図１は釣り用ラインカッターの側面図、図２は釣り用ラインカッターの平面図、図３は釣り用ラインカッターの断面図、図４は釣り用ラインカッターのＡ−Ａ断面図、図５は釣り用ラインカッターの使用状態図である。
【０００９】
図１から図４によると、釣り用ラインカッター１は、対向して設けた一対の板体２、２を有している。
この板体２、２はそれぞれ一端部に板体２の内側部２ｂ側に突出するように設けた刃４、４を有し、この一端部側では板体２、２は、刃４、４が互いに向かい合うようにして間隙をもって並設されており、他端部は向かい合わせたまま接近し合掌状に合わされて一体的に止着された接合部３が形成されている。
刃４、４は、略板体２、２と同じ幅を有するように形成されている。
【００１０】
板体２、２のそれぞれの外側部２ａ、２ａは平面状に形成されているが、外側部２ａの一端部側に内側部２ｂ側に窪んだ指当て用の凹部６が形成されている。
凹部６が刃４、４が設けられた板体２、２の一端側に形成されると指で押圧する部分が刃４、４に近いため釣り糸の意図する位置を正確に切断しやすくなり、刃４、４の衝合時の押圧を強くできる。
【００１１】
凹部６は、その周辺が外側部２ａの平面状の部分に囲まれており、手探りで凹部６に指を差し込め、その中から指先が脱出しにくく、また、平面視は板体２、２の長手方向に長く形成された楕円状で指で触れる形状に合致し、その内面は図３、図４のように湾曲面で形成され中央側に向かって深くなっている。
凹部６は、板体２に一体に形成されており、板体２の外側部２ａの平面状の部分より窪んで内側部２ｂ側に位置する。
板体２、２の外側部２ａの凹部６に対応する内側部２ｂの部分は内側へ突出する凸部５、５が形成されている。
【００１２】
板体２、２の他端側の接合部３には紐等の取り付け孔８が設けられ、取り付け孔８の近傍には肉抜き孔７、７が設けられている。
板体２、２は、肉抜き孔７、７が設けられた部分において接合部３から前方側の凹部６に向かって徐々に互いの間隙が大きくなるように形成されている。
板体２、２は可撓性を有しており、板体２、２を押圧することで接合部３を支点にして板体２、２の先端側は互いに接近したり離れたりさせることができる。
【００１３】
なお、板体２、２の刃４、４が設けられた一端側に対し、他端部は板体２、２が向かい合わせたまま接近し合掌状に合わされて一体的に止着された接合部３が形成されているが、この他端側が支点となって板体２、２の先端側が互いに接近したり離れたりさせることができればよく、例えば上記のように接合部３を有せずに板体を一体に形成し、他端側が折り曲げられて一対の板体２、２が形成されていても良い。
【００１４】
釣り用ラインカッター１を使用するときは、図５のように親指と人差し指を板体２、２の凹部６、６内にそれぞれ添えるようにして握持する。
この時、親指は板体２の長手方向を向きように添えられ、人差し指は、板体２の長手方向を横切るように添えられる。
次に切断しようとする釣り糸を刃４、４の間に差し込んで上記両方の指で板体２、２の凹部６、６位置を押圧して刃４、４を衝合して上記刃４、４の間に差し込んだ釣り糸を切断する。
【００１５】
この釣り用ラインカッター１は、親指と人差し指を板体２、２の凹部６、６内にそれぞれ添えるようにして握持するため、釣り用ラインカッター１の保持がしやすくなる。
この時、凹部６、６内に添えた指Ｕの腹部Ｕ１が凹部６内に入り込むため、指先に引っかかりが出来て、力が入りやすくなる。
凹部６は、板体２に一体に形成されており、板体２の外側部２ａの平面状の部分より内側部２ｂ側に位置するため、板体２、２に添えた指が凹部６内に入り込むことで指が板体２、２に対し低く位置されるため指で陰になりやすい釣り糸を切断しようとしている部分及び刃４、４の視認が容易で、釣り糸を意図した位置で正確に切断しやすくなる。
【００１６】
さらに、凹部６、６内に添えた指Ｕの腹部Ｕ１が凹部６内に入り込むことでその分凹部６、６内に添えたそれぞれの指Ｕの指先同志を予め接近させることが出来るため、親指と人差し指の両指先の押圧方向のずれを少なくすることができ、刃４、４をずれないように衝合して釣り糸を確実に切断することができる。
また、凹部６、６内に添えた指Ｕの腹部Ｕ１が凹部６内に入り込むことでその分指先を刃４、４に近づけることができるため、釣り糸を意図した位置で正確に切断しやすく、また、刃４、４を強く衝合でき、確実に釣り糸の切断ができる。
【００１７】
また、凹部６、６内に添えた指Ｕの腹部Ｕ１が凹部６内に入り込み、腹部Ｕ１が凹部６、６内の中央に向かって深くなる湾曲形状に合致するため、指Ｕが板体２、２に添えた位置で安定し動きにくくなるためより釣り用ラインカッター１の保持が確実になり、作業中に落としてしまうことを防止する。
【００１８】
図６は、第２実施例の釣り用ラインカッターの断面図で、凹部６ａ、６ａに外側部２ａから内側部２ｂに通じる孔６ｂを設け、これに対応して内側部２ｂに孔６ｂが貫通した凸部５ａが形成されている。
このように孔６ｂを設けると、凹部６ａ、６ａ内に添えた指Ｕの腹部Ｕ１が凹部６ａ内に入り込むことに加えて、さらに指の腹部Ｕ１が孔６ｂに入り込むため、指Ｕが安定し動きにくくなるためより釣り用ラインカッター１の保持が確実になる。
他の構成は第１実施例と同じである。
なお、この実施例において、凹部６ａ、６ａ内に孔６ｂを設けたが、凹部６ａ、６ａを全て孔６ｂで形成してこれを凹部としてこの中に指腹の一部が入り込むようにしても良い。
【産業上の利用可能性】
【００１９】
本発明は、釣り用ラインカッターに利用できる。
【図面の簡単な説明】
【００２０】
【図１】第１実施例で釣り用ラインカッターの側面図である。
【図２】同釣り用ラインカッターの平面図である。
【図３】同釣り用ラインカッターの断面図である。
【図４】同釣り用ラインカッターのＡ−Ａ断面図である。
【図５】同釣り用ラインカッターの使用状態図である。
【図６】第２実施例の釣り用ラインカッターの断面図である。
【符号の説明】
【００２１】
１  釣り用ラインカッター
２  板体
３  接合部
４  刃
６、６ａ  凹部
【図１】
2006042632.tif 000003
【図２】
2006042632.tif 000004
【図３】
2006042632.tif 000005
【図４】
2006042632.tif 000006
【図５】
2006042632.tif 000007
【図６】
2006042632.tif 000008